(57)【要約】【課題】アドレス番号や任意番号の設定前に設置作業や配線作業が可能な防災機器を提供すること。【解決手段】防災機器１は、伝送路３を介して防災受信機２に接続される防災機器１であって、伝送路３に接続されるベース部１０と、ベース部１０に着脱自在に接続され、所定の防災動作を行う本体２０と、を備え、ベース部１０は、当該ベース部１０を識別する初期情報を記憶するＩＣタグ１１と、ＩＣタグ１１に記憶されている情報を取得して所定の処理を行う識別情報処理部１２１と、を備え、本体２０は、当該防災機器１を一意に特定可能な追加情報を記憶している記憶部２１と、追加情報をＩＣタグ１１に書き込むＩＣタグライタ２２と、を備える。【選択図】図１
2008220445.tif 000002
【特許請求の範囲】
【請求項１】
伝送路を介して防災受信機に接続される防災機器であって、
前記伝送路に接続される基部と、
前記基部に着脱自在に接続され、所定の防災動作を行う本体と、
ＩＣタグライタと、を備え、
前記基部は、当該基部を識別する第１識別情報を記憶するＩＣタグと、前記ＩＣタグに記憶されている情報を取得して所定の処理を行う識別情報処理手段と、を備え、
前記本体は、当該防災機器を一意に特定可能な第２識別情報を記憶している記憶手段を備え、
前記ＩＣタグライタは、前記第２識別情報を前記ＩＣタグに書き込むこと、
を特徴とする防災機器。
【請求項２】
前記第２識別情報は、前記防災機器が接続されている系統を識別する系統情報、又は、前記防災機器の設置位置を識別する位置情報を含むこと、
を特徴とする請求項１に記載の防災機器。
【請求項３】
前記識別情報処理手段は、前記伝送路を介して前記防災受信機から入力される前記第２識別情報を前記ＩＣタグに書き込むこと、
を特徴とする請求項１または２に記載の防災機器。
【請求項４】
前記ＩＣタグライタは前記本体に設置されていること、
を特徴とする請求項１から３のいずれか一項に記載の防災機器。
【請求項５】
前記ＩＣタグライタは、当該防災機器に近接して用いられる外部器具に設置されていること、
を特徴とする請求項１から４のいずれか一項に記載の防災機器。
【発明の詳細な説明】
【技術分野】
【０００１】
本発明は、伝送路を介して防災受信機に接続される防災機器において、当該防災機器を一意に特定するための識別情報を有する防災機器に関する。
【背景技術】
【０００２】
従来から、集合住宅等に設置された各種の防災機器を集中的に管理するために、当該防災機器を一意に特定するための番号情報が用いられている。この番号情報としては、アドレス番号（固有番号）と任意番号とがある。
【０００３】
このうち、アドレス番号は、各防災機器が設置された防災系統を特定可能なように決定される。例えば、防災受信機に複数の中継器盤が接続され、各中継器盤にそれぞれ複数の火災感知器が接続される場合において、各中継器盤には「１」や「２」の如きアドレス番号が予め付与され、各火災感知器のうち、アドレス番号「１」の中継器盤によって中継が行なわれる火災感知器には「１−１００」や「１−１０１」の如きアドレス番号、アドレス番号「２」の中継器盤によって中継が行なわれる火災感知器には「２−１００」や「２−１０１」の如きアドレス番号が付与される。このようにアドレス番号を用いた他の例として、特許文献１には、アドレス番号を用いて火災感知器を識別して点検することが記載されている。
【０００４】
また、任意番号は、各防災機器の設置位置を特定可能なように決定される。この任意番号は、例えば、各防災機器が設置されている棟を示す番号、当該棟の内部において各防災機器が設置されている階数を示す番号、及び、当該階数において各防災機器が設置されている地区を示す番号を、順次並べて構成される。具体的には、第３棟の第５階の第２地区に設置される火災感知器には、「３−５−２」の如き任意番号が付与される。
【０００５】
ここで、各防災機器からの信号を受信する防災受信機には、各防災機器のアドレス番号、各防災機器の任意番号、及び、各防災機器からの信号に基づいて制御すべき他の防災機器のアドレス番号やその制御内容等が、相互に関連付けて予め格納されている。そして、火災感知器からのアドレス番号が中継器盤を介して送信された場合、防災受信機は、このアドレス番号に対応する任意番号を取得して、この任意番号をディスプレイにより表示する。また、防災受信機は、各防災機器を動作させるための制御信号を、各防災機器に付与されているアドレス番号と共に送信する。各防災機器は、防災受信機から送信されたアドレス番号が自己に付与されているアドレス番号と一致するか否かを判定し、一致する場合には、防災受信機からの制御信号に基づいて動作する。
【０００６】
従来、このようなアドレス番号や任意番号を付与するため、防災系統や各防災機器の設置位置を決定した後、熟練した担当者が、これら防災系統や設置位置に基づいて各防災機器のアドレス番号や任意番号を予め綿密に決定していた。そして、各防災機器に対してアドレス番号を設定してから、各防災機器を設置エリアに取り付けていた。具体的には、担当者がアドレス設定器を持って設置エリアに出向き、防災機器にアドレス設定器を接続する。そして、このアドレス設定器を介して、防災機器の内部のメモリにアドレス番号を書き込んだ後、防災機器を設置位置に取り付けていた。このようなアドレス番号の設定作業を、全ての防災機器に対して個別的に行っていた。
【０００７】
【特許文献１】特開平１１−１３４５７４号公報
【発明の開示】
【発明が解決しようとする課題】
【０００８】
しかしながら、このようなアドレス番号や任意番号を用いた従来の防災機器の管理方法では、各防災機器を設置エリアに取り付ける前に、各防災機器のアドレス番号や任意番号を決定する必要があったので、防災機器の取り付けが可能になる迄に多大な時間を要した。また、各防災機器の設置後でなければ防災受信機が出力する制御信号に対して防災機器に応答させることも不可能なため、防災受信機と防災機器との間の配線確認を行うこともできず、配線工事を完了させることができなかった。従って、近年の建築工期短縮の要請に応えることが困難であった。
【０００９】
本発明は、上記に鑑みてなされたものであって、アドレス番号や任意番号の設定前に設置作業や配線作業が可能な防災機器を提供することを目的とする。
【課題を解決するための手段】
【００１０】
上述した課題を解決し、目的を達成するために、請求項１に記載の防災機器は、伝送路を介して防災受信機に接続される防災機器であって、前記伝送路に接続される基部と、前記基部に着脱自在に接続され、所定の防災動作を行う本体と、ＩＣタグライタと、を備え、前記基部は、当該基部を識別する第１識別情報を記憶するＩＣタグと、前記ＩＣタグに記憶されている情報を取得して所定の処理を行う識別情報処理手段と、を備え、前記本体は、当該防災機器を一意に特定可能な第２識別情報を記憶している記憶手段を備え、前記ＩＣタグライタは、前記第２識別情報を前記ＩＣタグに書き込むこと、を特徴とする。
【００１１】
また、請求項２に記載の防災機器は、請求項１に記載の防災機器において、前記第２識別情報は、前記防災機器が接続されている系統を識別する系統情報、又は、前記防災機器の設置位置を識別する位置情報を含むこと、を特徴とする。
【００１２】
また、請求項３に記載の防災機器は、請求項１または２に記載の防災機器において、前記識別情報処理手段は、前記伝送路を介して前記防災受信機から入力される前記第２識別情報を前記ＩＣタグに書き込むこと、を特徴とする。
【００１３】
また、請求項４に記載の防災機器は、請求項１から３のいずれか一項に記載の防災機器において、前記ＩＣタグライタは前記本体に設置されていること、を特徴とする。
【００１４】
また、請求項５に記載の防災機器は、請求項１から４のいずれか一項に記載の防災機器において、前記ＩＣタグライタは、当該防災機器に近接して用いられる外部器具に設置されていること、を特徴とする。
【発明の効果】
【００１５】
この発明によれば、基部のＩＣタグに予め記憶されている第１識別情報を、識別情報処理手段が取得し、伝送路を介して防災受信機に出力できる。従って、各防災機器に対する第２識別情報の決定を待つことなく、伝送路の敷設に合わせて基部のみを設置して伝送路に接続することができ、同時に基部が適切に伝送路に接続されているか否かを容易に確認することができる。すなわち、伝送路の敷設作業や基部の設置作業を迅速に行うことができる。また、本体を基部に接続した場合には、本体の記憶手段に記憶されている第２識別情報をＩＣタグライタによって基部のＩＣタグに書き込ませる。従って、ＩＣタグに書き込まれた第２識別情報に基づいて、防災機器を一意に特定することができる。さらに、本体を基部から取り外した後、記憶手段の情報を更新してから再度接続し、あるいは、別の本体への交換を行うことにより、防災機器の第２識別情報を更新することができる。このとき、書き込まれた第２識別情報が防災受信機に出力されるので、防災受信機に格納されている第２識別情報を自動的に更新することができ、更新に際しての人為的なミスを回避することができる。
【００１６】
また、この発明によれば、第２識別情報は防災機器の系統情報や位置情報を含んでいるため、これらの情報に基づいて、防災機器が設置された防災系統や防災機器の設置位置を含めて当該防災機器を一意に特定することができる。
【００１７】
また、この発明によれば、第２識別情報が、各防災機器に対する第１識別情報と対応付けられて防災受信機から各防災機器に出力され、これに基づいて各防災機器の識別情報処理手段が第２識別情報をＩＣタグに書き込む。これにより、ＩＣタグに書き込まれた第２識別情報に基づいて、防災機器が設置された防災系統や設置位置を含めて当該防災機器を一意に特定することができる。また、防災機器に記憶されている第２識別情報を更新する場合は、防災受信機から伝送路を介して、又は、ＩＣタグライタによって、新たな第２識別情報をＩＣタグに書き込むことができる。これにより、第２識別情報の更新を容易かつ確実に実施することができる。
【００１８】
また、この発明によれば、ＩＣタグライタが本体に設けられているので、本体を基部に取り付ける際に本体から基部に対して第２識別情報を入力させることができる。従って、別途ＩＣタグライタを備えた器具を用意する必要がなく、防災機器の第２識別情報の更新を容易に行うことができる。
【００１９】
また、この発明によれば、ＩＣタグライタを本体とは別体とした構成にすることにより、本体を小型化することができ、複数の本体に対してＩＣタグライタを共有させることも可能となるので、本体におけるコストを低減することができる。
【発明を実施するための最良の形態】
【００２０】
以下に添付図面を参照して、この発明に係る防災機器の各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００２１】
〔Ｉ〕各実施の形態に共通の基本的概念
まず、各実施の形態に共通の基本的概念について説明する。本発明は、伝送路を介して防災受信機に接続される防災機器において、当該防災機器を一意に特定するための識別情報を有する防災機器に関する。
【００２２】
防災機器の具体的な種類や形態は任意であり、例えば、火災感知器、ガス検知器、排煙口、排煙防煙ダンパー、排煙機、あるいは、防火防煙シャッター等を含む。また、防災機器の設置対象は任意であり、例えば、工場施設やビル等の大規模な建物内や、マンション等の一般住宅に設置できる。
【００２３】
各実施の形態に係る防災機器の特徴は、概略的に、（１）伝送路に接続される基部と、防災動作を行う本体とは、互いに着脱自在に接続されること、（２）基部が有するＩＣタグに、当該基部を識別する初期情報が予め記憶されていること、及び、（３）基部が有する識別情報処理手段は初期情報を取得して伝送路に出力できることにある。
【００２４】
ここで、初期情報とは、基部の属性や特性を識別可能、且つ、防災系統や防災機器の設置位置に関らず任意に決定可能な情報であり、特許請求の範囲における第１識別情報に対応している。この様な初期情報として、初期アドレスあるいは仮番号を用いることができる。
【００２５】
従って、伝送路の配線工事に合わせて防災機器の基部のみを先行して設置することにより、伝送路を介して防災受信機に初期情報を送信することができ、この初期情報に基づいて防災受信機と防災機器との間の配線確認を早期に実施することができる。
【００２６】
また、ＩＣタグには、追加情報を記憶させることもできる。追加情報は、防災機器を一意に特定するための情報であり、特許請求の範囲における第２識別情報に対応している。また、追加情報は上述のアドレス番号や任意番号を含んでいる。ここで、アドレス番号は特許請求の範囲における系統情報に対応しており、任意番号は特許請求の範囲における位置情報に対応している。
【００２７】
従って、防災系統や防災機器の設置位置に基づいて追加情報を決定しＩＣタグに記憶させた後は、従来の防災機器と同様に、各防災機器が設置された防災系統や位置を特定することが可能となる。
【００２８】
〔II〕各実施の形態の具体的内容
次に、本発明に係る各実施の形態の具体的内容について説明する。なお、以下の説明では代表的な防災機器として感知器を例に挙げて説明する。
【００２９】
〔実施の形態１〕
まず実施の形態１について説明する。この形態は、防災機器の基部がＩＣタグと識別情報処理手段を備え、防災機器の本体が記憶手段とＩＣタグライタを備える基本的な形態である。
【００３０】
（防災機器の構成）
まず、防災機器の構成を説明する。図１は、実施の形態１に係る防災機器の電気的構成を機能概念的に示したブロック図である。図１に示すように、防災機器１は伝送路３を介して防災受信機２と接続されている。防災機器１は、ベース部１０及び本体２０を備えている。
【００３１】
（防災機器の構成−ベース部１０）
ベース部１０は、ＩＣタグ１１、制御部１２、本体接続部１３を備えている。ＩＣタグ１１は、初期情報を記憶するためのものであり、ベース部１０の任意の位置に設置されている。ＩＣタグ１１には、初期情報に加えて、追加情報を記憶させることもできる。あるいは、初期情報から追加情報に書き換えて記憶させることもできる。また、ＩＣタグ１１に記憶される情報は後述する制御部１２によって任意に読取可能、かつ、ＩＣタグライタによって任意に書込可能である。なお、ＩＣタグ１１の構成は任意であるが、少なくとも非接触で情報の書き込みを行えることが望ましい。この様なＩＣタグとしては、例えば、ＲＦＩＤ（Ｒａｄｉｏ  Ｆｒｅｑｕｅｎｃｙ  Ｉｄｅｎｔｉｆｉｃａｔｉｏｎ）等の技術を利用した非接触型ＩＣタグを用いることができる。
【００３２】
制御部１２は、ベース部１０における各種の処理を実施するためのものであり、機能概念的には伝送処理部１２０、識別情報処理部１２１を備えている。伝送処理部１２０は、伝送路３を介した防災受信機２との情報伝送に関する処理を行うためのものである。識別情報処理部１２１は、ＩＣタグ１１に記憶されている情報を取得し、防災機器１の識別に関する処理を行うためのものであり、特許請求の範囲における識別情報処理手段に対応している。識別情報処理部１２１が行う処理の詳細は後述する。なお、制御部１２の具体的構成は任意であるが、例えば、ＯＳ（Ｏｐｅｒａｔｉｎｇ Ｓｙｓｔｅｍ）などの制御プログラム、各種の処理手順などを規定したプログラム、所要データを格納するための内部メモリ、及び、これらのプログラムを実行するＣＰＵ（Ｃｅｎｔｒａｌ Ｐｒｏｃｅｓｓｉｎｇ Ｕｎｉｔ）を備えて構成される。
【００３３】
本体接続部１３は、ベース部１０と本体２０とを着脱自在に接続する部分であり、本体２０のベース接続部に対して接続される。本体接続部１３において、ベース部１０と本体２０とは機械的に接続されるだけでなく電気的にも接続され、当該本体接続部１３を介して本体２０からベース部１０に所定の信号が入力される。
【００３４】
（防災機器の構成−本体２０）
本体２０は、記憶部２１、ＩＣタグライタ２２、検出部２３、警報出力部２４、制御部２５、ベース接続部２６を備えている。記憶部２１は、追加情報を記憶するためのものであり、特許請求の範囲における記憶手段に対応している。記憶部２１は後述する制御部２５に接続されている。
【００３５】
ＩＣタグライタ２２は、記憶部２１に記憶されている追加情報を読み取り、ベース部１０のＩＣタグ１１に書き込むためのものである。ＩＣタグライタ２２の具体的な構成は任意であるが、ＩＣタグ１１がＲＦＩＤ等の技術を利用した非接触型ＩＣタグである場合は、これに対応して電磁波等でＩＣタグ１１に情報の書き込みを行えるＩＣタグライタであることが望ましい。
【００３６】
検出部２３は、防災機器１の感知対象を検出するための部分である。具体的には、防災機器１が火災感知器である場合は、煙、炎、熱等が感知対象として検出部２３により検出される。あるいは、防災機器１がガス検知器である場合は、アルコールや一酸化炭素等のガスが感知対象として検出部２３により検出される。検出部２３は感知対象の濃度や温度等のレベルに応じた検出信号を制御部２５に出力する。なお、検出部２３の具体的な構成については公知の技術であるので説明を省略する。
【００３７】
警報出力部２４は、防災機器１の感知対象が検出された場合に警報を出力する。警報は音や光によって出力される。
【００３８】
制御部２５は、本体２０における各種の処理を実施するためのものであり、機能概念的にはＩＣタグライタ制御部２５０、検出処理部２５１、警報処理部２５２を備えている。ＩＣタグライタ制御部２５０は、ＩＣタグライタ２２の動作を制御するためのものである。検出処理部２５１は、検出部２３から入力された検出信号に基づき、火災やガス漏れ等が発生しているか否かの判断を行う。警報処理部２５２は、検出処理部２５１にて火災やガス漏れ等が発生していると判断された場合に、警報出力部２４に対して警報発報の制御信号を出力する。なお、制御部２５の具体的構成は任意であるが、例えば、ＯＳ（Ｏｐｅｒａｔｉｎｇ Ｓｙｓｔｅｍ）などの制御プログラム、各種の処理手順などを規定したプログラム、所要データを格納するための内部メモリ、及び、これらのプログラムを実行するＣＰＵ（Ｃｅｎｔｒａｌ Ｐｒｏｃｅｓｓｉｎｇ Ｕｎｉｔ）を備えて構成される。
【００３９】
ベース接続部２６は、本体２０とベース部１０とを着脱自在に接続する部分であり、ベース部１０の本体接続部１３に対して接続される。ベース接続部２６において、本体２０とベース部１０とは機械的に接続されるだけでなく電気的にも接続され、当該ベース接続部２６を介して本体２０からベース部１０に所定の信号が出力される。
【００４０】
（防災機器の設置）
次に、上述した防災機器１の設置の流れについて説明する。防災機器１は、概略的に次のような流れで設置される。まず、（１）防災機器１の設置対象である建物において伝送路３の敷設、防災受信機２や中継器盤の設置が行われ、（２）伝送路３の敷設に合わせて防災機器１のベース部１０が伝送路３に接続され設置される。ここで、ベース部１０のＩＣタグ１１には予め初期情報が記憶されている。また、（３）防災受信機２とベース部１０とが伝送路３を介して接続された後の任意の時点で、初期情報を利用することによりベース部１０の接続確認が行われる。次に、（４）伝送路３の配線、及び、防災機器１や防災受信機２の設置位置等に基づいて各防災機器１に対する追加情報が決定され、本体２０に記憶される。（５）本体２０をベース部１０に接続すると、ＩＣタグライタ２２によって追加情報がベース部１０のＩＣタグ１１に書き込まれ、これらの情報に基づいて防災受信機２による当該防災機器１の特定が可能となる。さらに、（６）本体２０を取り外して記憶部２１の情報を更新してから再度接続し、あるいは、別の本体２０への交換を行うことにより、新たな追加情報がＩＣタグ１１に書き込まれる。この場合、書き込まれた追加情報を防災受信機２に出力することにより、防災受信機２に格納されている追加情報を自動的に更新することもできる。
【００４１】
上記の流れの中で、ベース部１０を伝送路３に接続して設置した後に当該ベース部１０の接続確認を行う（３）における処理の流れ、本体２０をベース部１０に接続した際の（５）における処理の流れ、及び、本体２０の交換を行う（６）における処理の流れについて、次に説明する。
【００４２】
（３）ベース部１０の接続確認処理
図２は、上記の（３）においてベース部１０が行う処理の流れを示したフローチャートである。前提として、防災受信機２とベース部１０とが伝送路３を介して接続されているものとする。図２に示すように、作業者が防災受信機２に対して所定の操作により防災機器１の接続確認処理を指示すると（ステップＳＡ−１、Ｙｅｓ）、防災受信機２は伝送路３に接続されているベース部１０に対する初期情報の送信要求を、伝送路３を介して出力する（ステップＳＡ−２）。
【００４３】
伝送路３を介して送信要求がベース部１０に入力されると、伝送処理部１２０は入力された送信要求に基づき、識別情報処理部１２１に初期情報の取得を指示する（ステップＳＡ−３）。識別情報処理部１２１は、伝送処理部１２０から入力された指示に基づき、ＩＣタグ１１を参照して初期情報を取得し（ステップＳＡ−４）、取得した初期情報を伝送処理部１２０に出力する（ステップＳＡ−５）。伝送処理部１２０は、初期情報が入力されると、当該初期情報を伝送路３を介して防災受信機２に出力する（ステップＳＡ−６）。
【００４４】
防災受信機２は、各ベース部１０から伝送路３を介して初期情報が入力されると、当該初期情報を作業者に対して通知する（ステップＳＡ−７）。なお、作業者に対する通知は、印字装置を用いた印字出力や、表示装置を用いた画面表示等により行うことができる。
【００４５】
作業者は、設置時に予め控えておいた各ベース部１０の初期情報と、通知された初期情報とを照合することにより、各ベース部１０が適切に伝送路３に接続されているかを確認することができる。
【００４６】
（５）本体２０の接続時の処理
図３は、上記の（５）において防災機器１が行う処理の流れを示したフローチャートである。本体２０がベース部１０に接続され、ベース接続部２６に設けられた図示しないスイッチが押圧される等することにより、本体２０がベース部１０に接続されたと当該本体２０の制御部２５が判定すると（ステップＳＢ−１、Ｙｅｓ）、ＩＣタグライタ制御部２５０は記憶部２１を参照して追加情報を取得する（ステップＳＢ−２）。
【００４７】
続いて、ＩＣタグライタ制御部２５０は、取得した追加情報をＩＣタグライタ２２に出力し、ベース部１０のＩＣタグ１１への書き込みを指示する（ステップＳＢ−３）。
【００４８】
ＩＣタグライタ２２は、入力された追加情報をベース部１０のＩＣタグ１１に送信し、書き込みを行う（ステップＳＢ−４）。このＩＣタグ１１への追加・書込が完了すると、防災受信機２に情報の変更があったことを送信する。これを受けた防災受信機２では、自己格納されている各防災機器１の情報を更新する。
【００４９】
以上の処理によってＩＣタグ１１に追加情報が記憶されると、これらの情報に基づいて防災受信機２が各防災機器１を特定することが可能となる。例えば、検出部２３にて火災の発生やガス漏れ等が検出されたことにより警報出力部２４にて警報出力を行った場合、識別情報処理部１２１がＩＣタグ１１に記憶されている追加情報を取得して伝送処理部１２０に出力し、入力された追加情報を伝送処理部１２０が伝送路３を介して防災受信機２に出力する。防災受信機２は、入力された追加情報に基づいて、発報した防災機器１を当該防災機器１の防災系統や設置位置と対応付けて一意に特定可能である。
【００５０】
（６）本体２０の交換時の処理
図４は、上記の（６）において防災機器１が行う処理の流れを示したフローチャートである。ベース部１０に接続されていた本体２０が取り外されると、本体接続部１３に設けられた図示しないスイッチが押圧されたり、ベース部と本体の通信ができなくなる等することにより、ベース部１０の制御部１２は本体２０が取り外されたと判定する（ステップＳＣ−１、Ｙｅｓ）。この時、識別情報処理部１２１はＩＣタグ１１を参照し、追加情報を取得する（ステップＳＣ−２）。さらに、識別情報処理部１２１は、取得した追加情報を伝送処理部１２０に出力し、伝送処理部１２０はこれを防災受信機２に出力する（ステップＳＣ−３）。これにより、防災受信機２は入力された追加情報に基づいて、本体２０が取り外された防災機器１を特定する。
【００５１】
次に、取り外された本体２０の記憶部２１に新たな追加情報が記憶されてから再びベース部１０に接続され、あるいは、別の本体２０がベース部１０に接続される。この時、接続された本体２０の制御部２５は当該本体２０がベース部１０に接続されたと判定し（ステップＳＣ−４、Ｙｅｓ）、ＩＣタグライタ制御部２５０は記憶部２１を参照して追加情報を取得する（ステップＳＣ−５）。続いて、ＩＣタグライタ制御部２５０は、取得した追加情報をＩＣタグライタ２２に出力し、ベース部１０のＩＣタグ１１への書き込みを指示する（ステップＳＣ−６）。
【００５２】
ＩＣタグライタ２２は、入力された追加情報をベース部１０のＩＣタグ１１に送信し、当該ＩＣタグ１１にそれまで記憶されていた追加情報に上書きするように書き込みを行う（ステップＳＣ−７）。
【００５３】
続いて、ベース部１０の制御部１２が、本体接続部１３に設けられた図示しないスイッチが押圧される等したことにより、当該ベース部１０に本体２０が接続されＩＣタグ１１に追加情報が上書きされたと判定すると（ステップＳＣ−８、Ｙｅｓ）、識別情報処理部１２１はＩＣタグ１１を参照し、上書きされた追加情報を取得する（ステップＳＣ−９）。識別情報処理部１２１は、取得した追加情報を伝送処理部１２０に出力し、伝送処理部１２０はこれを防災受信機２に出力する（ステップＳＣ−１０）。
【００５４】
防災受信機２は、本体２０が取り外されたものとして先に特定した防災機器１について、それまで格納されていた追加情報に換えて、新たに入力された追加情報を格納する。これにより、防災機器１における追加情報の更新を、防災受信機２に格納されている追加情報に対しても自動的に反映することができる。
【００５５】
（実施の形態１の効果）
このように実施の形態１によれば、ベース部１０のＩＣタグ１１に予め記憶されている初期情報を、識別情報処理部１２１が取得し、伝送路３を介して防災受信機２に出力できる。従って、各防災機器１に対する追加情報の決定を待つことなく、伝送路３の敷設に合わせてベース部１０のみを設置して伝送路３に接続することができ、同時にベース部１０が適切に伝送路３に接続されているか否かを容易に確認することができる。すなわち、伝送路３の敷設作業やベース部１０の設置作業を迅速に行うことができる。
【００５６】
また、本体２０をベース部１０に接続した場合には、本体２０の記憶部２１に記憶されている追加情報をＩＣタグライタ２２によってベース部１０のＩＣタグ１１に書き込ませる。従って、ＩＣタグ１１に書き込まれた追加情報に含まれるアドレス番号や任意番号に基づいて、防災機器１が設置された防災系統や防災機器１の設置位置を含めて当該防災機器１を一意に特定することができる。
【００５７】
また、本体２０をベース部１０から取り外した後、記憶部２１の情報を更新してから再度接続し、あるいは、別の本体２０への交換を行うことにより、防災機器１の追加情報を更新することができる。このとき、書き込まれた追加情報が防災受信機２に出力されるので、防災受信機２に格納されている追加情報を自動的に更新することができ、更新に際しての人為的なミスを回避することができる。
【００５８】
〔実施の形態２〕
次に、実施の形態２について説明する。この形態は、伝送路を介して防災受信機から防災機器に第２識別情報が入力される形態である。
【００５９】
（防災機器の構成）
実施の形態２に係る防災機器１の構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００６０】
（防災機器の構成−ベース部１０）
図５は、実施の形態２に係る防災機器の電気的構成を機能概念的に示したブロック図である。図５に示すように、ベース部１０はＩＣタグライタ１４を備えている。ＩＣタグライタ１４は、識別情報処理部１２１から出力された情報を、ＩＣタグ１１に書き込むためのものである。
【００６１】
（防災機器の構成−制御部１２）
制御部２０は、ＩＣタグライタ制御部１２２を備えている。ＩＣタグライタ制御部１２２は、ＩＣタグライタ１４の動作を制御するためのものである。
【００６２】
（防災機器の設置）
実施の形態２に係る防災機器１の特徴は、当該防災機器１を特定するための追加情報が伝送路３を介して防災受信機２から入力される点にある。すなわち、本実施の形態２に係る防災機器１は、概略的に次のような流れで設置される。まず（１）伝送路３の敷設、防災受信機２や中継器盤の設置が行われ、（２）伝送路３の敷設に合わせて防災機器１のベース部１０が伝送路３に設置される。ベース部１０のＩＣタグ１１には予め初期情報が記憶されている。また、（３）防災受信機２とベース部１０が伝送路３を介して接続された後に初期情報を利用してベース部１０の接続確認が行われる。ここまでの流れは実施の形態１に係る防災機器１の設置と同様である。
【００６３】
続いて、（４）伝送路３の配線、及び、防災機器１や防災受信機２の設置位置等に基づいて各防災機器１に対する追加情報が決定されると、当該追加情報を各防災機器１に対する初期情報と対応付けて防災受信機２に記憶させる。図６は、防災受信機２に記憶される、初期情報と追加情報との対応表を示す図である。図６に示すように、各防災機器１の初期情報に対応付けて、追加情報が防災受信機２に記憶されている。
【００６４】
そして、（５）各防災機器１に対して、初期情報と共に追加情報が防災受信機２から出力される。出力された初期情報に対応する防災機器１は、同時に出力された追加情報をＩＣタグ１１へ書き込む。これにより、防災受信機２による各防災機器１の特定が可能となる。
【００６５】
上述のように、実施の形態１とは異なり、追加情報を本体２０からＩＣタグ１１に書き込む必要がない。従って、本体２０のベース部１０に対する接続は、（２）のベース部１０の設置と同時に行ってもよく、あるいは、（５）のベース部１０に対する追加情報の書き込みの後に行ってもよい。
【００６６】
（５）防災機器１に対する追加情報の書き込み処理
次に、上記の（５）における処理の流れについて説明する。図７は、上記の（５）において防災機器１が行う処理の流れを示したフローチャートである。防災受信機２から各防災機器１の初期情報と対応付けて追加情報が出力され、伝送路３を介して防災機器１に入力されると（ステップＳＤ−１、Ｙｅｓ）、伝送処理部１２０は入力された初期情報及びこれに対応付けられた追加情報を識別情報処理部１２１に出力する（ステップＳＤ−２）。
【００６７】
識別情報処理部１２１は、ＩＣタグ１１に記憶されている初期情報を取得し、伝送処理部１２０から入力された初期情報と照合を行う（ステップＳＤ−３）。照合の結果、両者が一致している場合には（ステップＳＤ−４、Ｙｅｓ）、識別情報処理部１２１は伝送処理部１２０から入力された追加情報をＩＣタグライタ制御部１２２に出力し、ＩＣタグライタ制御部１２２は入力された追加情報をＩＣタグライタ１４によってＩＣタグ１１に書き込ませる（ステップＳＤ−５）。
【００６８】
また、ＩＣタグ１１に記憶されている初期情報と伝送処理部１２０から入力された初期情報とが一致していない場合（ステップＳＤ−４、Ｎｏ）、識別情報処理部１２１は追加情報のＩＣタグ１１への書き込みを行わせず、新たに初期情報と対応付けて追加情報が入力されるまで待機する（ステップＳＤ−１）。
【００６９】
以上の処理によってＩＣタグ１１に追加情報が記憶されると、これらの情報に基づいて防災受信機２が各防災機器１を特定することが可能となる。例えば、各防災機器１が設置されている防災系統や位置と対応付けて当該防災機器１を特定することが可能となる。
【００７０】
（追加情報の更新）
上記の処理によって防災機器１に記憶された追加情報を更新する場合は、防災受信機２から初期情報に対応付けて新たな追加情報を出力し、出力した初期情報に対応する防災機器１のＩＣタグ１１において追加情報の更新をさせることができる。
【００７１】
あるいは、実施の形態１に係る防災機器１と同様に、ベース部１０から本体２０を取り外した後に記憶部２１の情報を更新してから再度接続し、あるいは、別の本体２０への交換を行うことにより、本体２０のＩＣタグライタ２２によってＩＣタグ１１に新たな追加情報を書き込むことができる。これにより、防災機器１の追加情報を更新することができる。
【００７２】
（実施の形態２の効果）
このように実施の形態２によれば、各防災機器１に対する追加情報の決定を待つことなく、ベース部１０のＩＣタグ１１に予め記憶されている初期情報に基づいてベース部１０が適切に伝送路３に接続されているか否かを容易に確認することができる。すなわち、伝送路３の敷設作業やベース部１０の設置作業を迅速に行うことができる。
【００７３】
また、追加情報が、各防災機器１に対する初期情報と対応付けられて防災受信機２から各防災機器１に出力され、これに基づいて各防災機器１の識別情報処理部１２１がＩＣタグライタ１４によって追加情報をＩＣタグ１１に書き込ませる。これにより、ＩＣタグ１１に書き込まれた追加情報に基づいて、防災機器１が設置された防災系統や設置位置を含めて当該防災機器１を一意に特定することができる。
【００７４】
また、防災機器１に記憶されている追加情報を更新する場合は、防災受信機２から伝送路３を介して、又は、本体２０のＩＣタグライタ２２によって、新たな追加情報をＩＣタグ１１に書き込むことができる。これにより、追加情報の更新を容易かつ確実に実施することができる。
【００７５】
〔実施の形態３〕
次に、実施の形態３について説明する。この形態は、ＩＣタグライタを外部器具に設けた形態である。
【００７６】
（防災機器の構成）
実施の形態３に係る防災機器１の構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００７７】
実施の形態１及び２では、ＩＣタグライタ２２及びＩＣタグライタ制御部２５０は本体２０に設けられているが、本実施の形態３においては、本体２０に対して着脱自在なＩＣタグライタ部として別体として設けられている。
【００７８】
図８は、ＩＣタグライタ部を別体として設けた場合における防災機器１の電気的構成を機能概念的に示したブロック図である。図８に示すように、ＩＣタグライタ部２７は、ＩＣタグライタ２２、ＩＣタグライタ制御部２５０、及び、結合部２７０を備えている。結合部２７０は、本体２０とＩＣタグライタ部２７とを接続するためのものであり、着脱の容易な接触型コネクタ等を用いることができる。
【００７９】
なお、上述のように、ＩＣタグライタ部２７を本体２０における着脱自在な構成品として設けることができるが、図８に示したようにベース部１０に本体２０を接続する際に用いられる本体嵌合器３０の一部とすることもできる。ここで、本体嵌合器３０は特許請求の範囲における外部器具に対応している。この場合、本体嵌合器３０に図示しない操作部を設置することにより、当該操作部に対して所定の操作が行われた場合に、操作部からＩＣタグライタ制御部に対して追加情報が出力され、これに基づいてＩＣタグライタ２２からＩＣタグ１１に書込みを行わせることもできる。
【００８０】
（本体２０の接続）
本体２０をベース部１０に接続する際には、ＩＣタグライタ部２７を結合部２７０を介して本体２０に接続した状態でベース部１０への接続を行う。この時、記憶部２１から結合部２７０を経由してＩＣタグライタ制御部２５０に追加情報等が入力され、これに基づいてＩＣタグライタ制御部２５０がＩＣタグライタ２２によってＩＣタグ１１に対して書込みを行わせる。本体２０の接続及びＩＣタグ１１への情報書込みが完了した後、本体２０からＩＣタグライタ部２７を取り外す。
【００８１】
（実施の形態３の効果）
このように実施の形態３によれば、ＩＣタグライタ２２やＩＣタグライタ制御部２５０を本体２０とは別体とした構成にすることにより、本体２０を小型化することができ、複数の本体２０に対してＩＣタグライタ部２７を共有させることも可能となるので、本体２０におけるコストを低減することができる。
【００８２】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００８３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００８４】
（ベース部１０の接続確認について）
実施の形態１では、伝送路３に対するベース部１０の接続後に当該ベース部１０の接続確認を行う場合において、防災受信機２から初期情報の送信要求が出力されると、これに対応してベース部１０から防災受信機２に対して初期情報が出力されると説明したが、予め防災受信機２にも初期情報を記憶させておき、当該防災受信機２から伝送路３を介して初期情報を出力させたときに、その初期情報に対応している防災機器１に応答をさせることで接続確認を行うようにしてもよい。また、図３のフロー等においては本体２０がベース部１０に接続されたことを検出することによって追加情報の書込み処理を行なうようにしているが、本体２０をベース部１０に接続した後に、防災受信機２からの接続確認をするためのコマンドを防災機器１に送出することによって、追加情報の取得や書込み作業が開始されるようにしてもよい。
【００８５】
（記憶部２１に記憶させる情報について）
実施の形態１又は２では、記憶部２１には追加情報のみが記憶されているが、ベース部１０のＩＣタグ１１に記憶されている初期情報も併せて記憶させても良い。本体２０をベース部１０に接続させた際には、本体２０から初期情報及び追加情報がベース部１０に入力される。そして、入力された初期情報がベース部１０のＩＣタグ１１に記憶されている初期情報と異なる場合、ベース部１０から防災受信機２に異常信号を出力させる。防災受信機２では、ベース部１０と本体２０との組合せが不適切である旨の表示がなされる。これにより、先行して設置したベース部１０に対応付けられた本体２０を接続する必要がある場合に、ベース部１０と本体２０との組合せが適切か否かを容易に判断することが可能となる。なお、ベース部１０から異常信号が出力された場合でも、防災受信機２に対して所定の操作が行われた場合には本体２０に記憶されていた初期情報を優先し、ＩＣタグ１１に記憶されている初期情報を書き換えるようにしてもよい。
【００８６】
（防災受信機２による防災機器の制御について）
実施の形態１又は２では、初期情報はベース部１０の接続確認時に用いられているが、各防災機器１の初期情報と当該防災機器１に対する制御情報とを、相互に関連付けて防災受信機２に記憶させることもできる。これにより、防災受信機２に記憶された初期情報に基づいて各防災機器１の制御が可能となり、追加情報を決定し防災機器１に記憶させる前でも防災機器１の使用が可能となるので、建築工期の短縮が可能となる。
【００８７】
また、携帯型のＩＣタグリーダライタを利用して、任意の時点でＩＣタグ１１への追加情報の書込みを行っても良い。また、本体２０をベース部１０に接続する際に使用する本体嵌合器とＩＣタグリーダライタとを一体に設けることにより、本体２０にＩＣタグライタが設置されていない場合でも、本体２０の接続時にＩＣタグ１１への情報書込みが可能となる。あるいは、防災機器１の検査を行う検査機器にＩＣタグリーダライタを一体に設けることにより、防災機器１の設置後、初回の検査時にＩＣタグ１１に対して追加情報の書込みを行うこともできる。これにより、防災機器１の設置及び検査の省力化を図ることができる。
【産業上の利用可能性】
【００８８】
この発明に係る防災機器は、伝送路を介して防災受信機に接続される防災機器において、当該防災機器を一意に特定するための識別情報を有する防災機器に適用でき、防災機器の設置作業の迅速化に有用である。
【図面の簡単な説明】
【００８９】
【図１】本発明の実施の形態１に係る防災機器の電気的構成を機能概念的に示したブロック図である。
【図２】ベース部１０が行う処理の流れを示したフローチャートである。
【図３】防災機器１が行う処理の流れを示したフローチャートである。
【図４】防災機器１が行う処理の流れを示したフローチャートである。
【図５】本発明の実施の形態２に係る防災機器の電気的構成を機能概念的に示したブロック図である。
【図６】防災受信機２に記憶される、初期情報と追加情報との対応表を示す図である。
【図７】防災機器１が行う処理の流れを示したフローチャートである。
【図８】本発明の実施の形態３に係る防災機器の電気的構成を機能概念的に示したブロック図である。
【符号の説明】
【００９０】
１  防災機器
２  防災受信機
３  伝送路
１０  ベース部
１１  ＩＣタグ
１２  制御部
１３  本体接続部
１４  ＩＣタグライタ
２０  本体
２１  記憶部
２２  ＩＣタグライタ
２３  検出部
２４  警報出力部
２５  制御部
２６  ベース接続部
２７  ＩＣタグライタ部
３０  本体嵌合器
１２０  伝送処理部
１２１  識別情報処理部
１２２  ＩＣタグライタ制御部
２５０  ＩＣタグライタ制御部
２５１  検出処理部
２５２  警報処理部
２７０  結合部
【図１】
2008220445.tif 000003
【図２】
2008220445.tif 000004
【図３】
2008220445.tif 000005
【図４】
2008220445.tif 000006
【図５】
2008220445.tif 000007
【図６】
2008220445.tif 000008
【図７】
2008220445.tif 000009
【図８】
2008220445.tif 000010